(57)【要約】【課題】  海苔と三角おにぎりとの間に内フィルムを介在させることによって、海苔が湿気らないようにするとともに、その内フィルムを容易に分割することができるようにした米飯加工食品の包装体および米飯加工食品の包装具を提供する。【解決手段】  本米飯加工食品の包装体は、長さ方向に切断手段が設けられた外フィルム１０と、海苔１を介して外フィルム１０に重ね合わされる内フィルム２０とを備え、両フィルムの外周縁部１４，２４がシールＳされている。そして、前記内フィルム２０が外フィルム１０の両外側部に配置される一対のサイドフィルム２１，２１と、外フィルム１０の中間部に配置され、かつ、サイドフィルム２１，２１の各内側端２１ａ，２１ａと重なり合うセンターフィルム２２とからなり、各サイドフィルム２１，２１とセンターフィルム２２の重なり合っている部分が全長に亘ってシールＳされ、センターフィルム２２の引き裂き開始部に切り目２３が形成される。【選択図】  図１
2005333944.tif 000002
【特許請求の範囲】
【請求項１】
長さ方向に切断手段が設けられた外フィルムと、シート状食品を介して外フィルムに重ね合わされる内フィルムとを備え、両フィルムの外周縁部がシールされている米飯加工食品の包装体であって、
前記内フィルムが外フィルムの両外側部上に重なり合うように配置される一対のサイドフィルムと、外フィルムの中間部上に重なり合うように配置され、かつ、サイドフィルムの各内側端と重なり合うセンターフィルムとからなり、各サイドフィルムとセンターフィルムの重なり合っている部分が全長に亘ってシールされ、センターフィルムに引き裂きの起点となる切り目が形成されていることを特徴とする米飯加工食品の包装体。
【請求項２】
前記センターフィルムは、長さ方向に引き裂かれやすい一軸延伸性を有していることを特徴とする請求項１に記載の米飯加工食品の包装体。
【請求項３】
前記各サイドフィルムは、内側端から外向きに伸張した折返し部が備えられていることを特徴とする請求項１または２に記載の米飯加工食品の包装体。
【請求項４】
前記切り目は、センターフィルムの両端部に形成されていることを特徴とする請求項１から３の何れか一つに記載の米飯加工食品の包装体。
【請求項５】
前記切り目は、センターフィルムの中心部分で、かつ、何れか一方のサイドフィルムと重なる位置に形成されていることを特徴とする請求項１から３の何れか一つに記載の米飯加工食品の包装体。
【請求項６】
前記請求項４に記載の米飯加工食品の包装体によって米飯加工食品を包装した米飯加工食品の包装具であって、
前記内フィルムが米飯加工食品と接合するように前記米飯加工食品の包装体が二つ折りとされ、重なり合う内フィルムの外周縁部同士が切り目を形成した部分を除いてシールされていることを特徴とする米飯加工食品の包装具。
【請求項７】
前記請求項５に記載の米飯加工食品の包装体によって米飯加工食品を包装した米飯加工食品の包装具であって、
前記内フィルムが米飯加工食品と接合するように前記米飯加工食品の包装体が二つ折りとされ、重なり合う内フィルムの外周縁部同士がシールされていることを特徴とする米飯加工食品の包装具。
【請求項８】
前記請求項５に記載の米飯加工食品の包装体によって米飯加工食品を包装した米飯加工食品の包装具であって、
前記内フィルムが米飯加工食品を包むように前記米飯加工食品の包装体が米飯加工食品の形状に即して折り曲げられ、サイドフィルムの外周縁部と外フィルムとの重なり合っている部分がシールされていることを特徴とする米飯加工食品の包装具。
【発明の詳細な説明】
【技術分野】
【０００１】
本発明は、例えば、シート状の海苔のようなシート状食品を、三角おにぎりのような米飯加工食品から分離した状態で包装する米飯加工食品の包装体、およびこの包装体によって米飯加工食品を包装した米飯加工食品の包装具に関し、詳しくは、シート状食品を外フィルムと内フィルムとの間に挟む米飯加工食品の包装体、およびこの包装体によって米飯加工食品を包装した米飯加工食品の包装具に関する。
【背景技術】
【０００２】
コンビニエンスストアなどで販売されている海苔付きおにぎりは、搬送中や陳列中などにおいて、おにぎりの水分によって海苔が湿気ることがないようにするため、おにぎりと海苔とを別々に収納する米飯加工食品の包装体によって包装されている。
【０００３】
この米飯加工食品の包装体は図１９に示すように、シート状の海苔１を挟む外フィルム１１０と２枚の内フィルム１２０，１２０などから構成されている。外フィルム１１０は、例えば三角形に形成されたおにぎり２を収納できる大きさで、一端側に切欠き部を有する長方形状に形成されている。外フィルム１１０の両端の中心部１１１，１１１を結ぶセンターライン上には、カットテープ１１２が貼着され、このカットテープ１１２を引っ張ることにより、外フィルム１１０が引き裂かれて二分割できるようにされている。
【０００４】
他方、２枚の内フィルム１２０，１２０は、外フィルム１１０のセンターライン上で、一方の内側端１２１の表面と他方の内側端１２１の裏面とが上下に重なり合い、幅方向に離隔することができるようにされている。このような外フィルム１１０と内フィルム１２０，１２０とは、その間に海苔１を挟んだ状態で、両端の中心部１１１，１２２を除いた外周縁部１１３，１２３が、例えば熱によって帯状にシールＳされ、包装体を構成している。
【０００５】
このような包装体は、内フィルム１２０，１２０上におにぎり２が載せられ、図２０に示すようにおにぎり２の形状に即して折り曲げられ、おにぎり２を包み込み、重なり合っている内フィルム１２０，１２０の外周縁部と外フィルム１１０の表面とがシールＳされると、包装具となる。そして、外フィルム１１０が重なり合った両角部を含む領域に、商品情報などを表示したラベル１００が貼着される。
【０００６】
このような包装具を開封するには、まず、おにぎり２の頂部側から突出しているカットテープ１１２の端部を摘んで引っ張る。すると、外フィルム１１０が引き裂かれて二分割される。さらに外フィルム１１０と内フィルム１２０，１２０とがおにぎり２の底辺側の角部から突出している外端部Ｅ，Ｅを反対方向に引っ張る。すると、各内フィルム１２０，１２０が海苔１とおにぎり２との間から引き抜かれ、海苔１がおにぎり２を包んだ状態となって食することができる。
【０００７】
しかし、このような包装体および包装具にあっては、例えばおにぎり２の形状に即して折り曲げられている部分において、２枚の内フィルム１２０，１２０の内側端１２１，１２１間に隙間が生じることがある。すると、おにぎり２の水分が海苔１を収納している空間内に入り込み、海苔１を湿気らせ、海苔１のパリパリ感を味わうことができなくなる。
【０００８】
そこで、２枚の内フィルム１２０，１２０の内側端１２１，１２１間に隙間が生じないようにするため、図１９に点線（符号１２４）で示すように、２枚の内フィルム１２０，１２０が上下に重なり合っている内側端１２１，１２１を、全長に亘って直線状に剥離可能にシールした米飯加工食品の包装体が特許文献１に開示されている。
【特許文献１】特開２０００−１２５７９０号公報
【発明の開示】
【発明が解決しようとする課題】
【０００９】
特許文献１に開示された米飯加工食品の包装体に包装されたおにぎり２を食するには、カットテープ１１２を引っ張ることによって外フィルム１１０を引き裂いて二分割するだけでなく、外フィルム１１０と内フィルム１２０，１２０の外端部１１０ａ，１２０ａを反対方向に引っ張ることにより、２枚の内フィルム１２０，１２０の内側端１２１，１２１のシール１２４を剥がさなければならない。
【００１０】
しかし、２枚の内フィルム１２０，１２０の内側端１２１，１２１のシール強度を的確に設定することは困難である。シール強度が強すぎると、シール１２４が剥がれにくく、強い力で２枚の内フィルム１２０，１２０を引っ張らなければならない。引っ張る力が強すぎるなど内フィルム１２０，１２０に不適切な力が加えられると、海苔１が破れたり、おにぎり２が割れたりすることもある。
【００１１】
逆に、シール強度が弱すぎると、２枚の内フィルム１２０，１２０の内側端１２１，１２１のシール１２４が剥がれ、搬送中や陳列中などにおいて、おにぎり２の水分が海苔１を収納している空間内に入り込み、海苔１を湿気らせることもある。
【００１２】
そこで、本発明は、海苔のようなシート状食品と三角おにぎりのような米飯加工食品との間に内フィルムを介在させることによって、シート状食品が湿気らないようにするとともに、内フィルムを容易かつ確実に分割することができるようにした米飯加工食品の包装体および米飯加工食品の包装具を提供することを課題とする。
【課題を解決するための手段】
【００１３】
本発明に係る米飯加工食品の包装体は、請求項１に記載のように、長さ方向に切断手段が設けられた外フィルムと、シート状食品を介して外フィルムに重ね合わされる内フィルムとを備え、両フィルムの外周縁部がシールされている米飯加工食品の包装体であって、前記内フィルムが外フィルムの両外側部上に重なり合うように配置される一対のサイドフィルムと、外フィルムの中間部上に重なり合うように配置され、かつ、サイドフィルムの各内側端と重なり合うセンターフィルムとからなり、各サイドフィルムとセンターフィルムの重なり合っている部分が全長に亘ってシールされ、センターフィルムに引き裂きの起点となる切り目が形成されていることを特徴としている。
【００１４】
この米飯加工食品の包装体によれば、内フィルムが一対のサイドフィルムとセンターフィルムとから構成され、両フィルムの重なり合っている部分が全長に亘ってシールされていることにより、内フィルムには隙間が生じない。したがって、この内フィルムと外フィルムとの間にシート状食品を収納した米飯加工食品の包装体は、内フィルムが米飯加工食品と接するように米飯加工食品を包装したときに、米飯加工食品の水分が内フィルムと外フィルムとの間の空間内に流入せず、この空間内に収納されたシート状食品を湿気らせないようにすることができる。
【００１５】
このような米飯加工食品の包装体に包装された米飯加工食品を食するには、まず、切断手段によって外フィルムを二分割する。そして、切り目が形成された側の包装体の両角部を反対方向に引っ張ることにより、センターフィルムを切り目から引き裂き、内フィルムを二分割する。センターフィルムは、切り目を引き裂きの起点として引き裂かれることにより、大きな力で引っ張らなくても内フィルムは二分割されるため、シート状食品を破いたり、米飯加工食品を割ったりしないようにすることができる。そして、内フィルムが米飯加工食品とシート状食品との間から引き抜かれることにより、湿気っていないシート状食品が米飯加工食品を包んだ状態で食することができる。
【００１６】
また、請求項２に記載のように、前記米飯加工食品の包装体において、前記センターフィルムは、長さ方向に引き裂かれやすい一軸延伸性を有していることが好ましい。
【００１７】
この米飯加工食品の包装体によれば、センターフィルムが長さ方向に引き裂かれやすい一軸延伸性を有していることにより、センターフィルムは、さらに弱い力であっても切り目から長さ方向に引き裂かれるようにすることができる。
【００１８】
また、請求項３に記載のように、前記米飯加工食品の包装体において、前記各サイドフィルムは、内側端から外向きに伸張した折返し部が備えられていることが好ましい。
【００１９】
この米飯加工食品の包装体によれば、各サイドフィルムの内側端から外向きに伸張した折返し部が備えられていることにより、センターフィルムが引き裂かれ、二分割された内フィルムを米飯加工食品とシート状食品との間から引き抜くときに、サイドフィルムの折返し部が米飯加工食品と接合し、内側端が米飯加工食品から順次、離隔する。したがって、サイドフィルムの折返し部の全面が米飯加工食品を保持する状態に引っ張ることがなく、二分割された内フィルムを米飯加工食品とシート状食品との間から引き抜くときに、米飯加工食品が割れないようにすることができる。
【００２０】
また、請求項４に記載のように、前記切り目は、米飯加工食品の包装体において、センターフィルムの両端部に形成されていてもよい。
【００２１】
この米飯加工食品の包装体によれば、切り目がセンターフィルムの両端部に形成されることにより、米飯加工食品の包装体が二つ折りとされ、内フィルムの外周縁部同士が重なり合うことによって、切り目も重なり合う。そして、センターフィルムが切り目から二つ折りにされた側へ引き裂かれることにより、内フィルムが二分割される。
【００２２】
また、請求項５に記載のように、前記米飯加工食品の包装体において、前記切り目は、センターフィルムの中心部分で、かつ、何れか一方のサイドフィルムと重なる位置に形成されていてもよい。
【００２３】
この米飯加工食品の包装体によれば、切り目がセンターフィルムの中心部分に形成されることにより、センターフィルムは、この中心部分から両端部の方へ引き裂かれる。そして、切り目は、何れか一方のサイドフィルムと重なる位置に形成されているため、内フィルムの内側と外側とが連通せず、内フィルムの内側に包装されている米飯加工食品の水分が切り目からシート状食品の方へ流入しにくく、したがって、シート状食品が湿気りにくいようにすることができる。
【００２４】
また、本発明に係る米飯加工食品の包装具は、請求項６に記載のように、前記請求項４に記載の米飯加工食品の包装体によって米飯加工食品を包装した米飯加工食品の包装具であって、前記内フィルムが米飯加工食品と接合するように前記米飯加工食品の包装体が二つ折りとされ、重なり合う内フィルムの外周縁部同士が切り目を形成した部分を除いてシールされていることを特徴としている。
【００２５】
この米飯加工食品の包装具は、内フィルムが米飯加工食品と接合するように、包装体が二つ折りとされ、重なり合う内フィルムの外周縁部同士が切り目を形成した部分を除いてシールされることにより、米飯加工食品を包装するものである。そして、センターフィルムの両端部に形成された切り目は、重なり合った包装体の端部に位置する。この状態において、米飯加工食品とシート状食品とは、全長に亘ってシールされたセンターフィルムと一対のサイドフィルムとからなる内フィルムによって隔絶されるため、米飯加工食品の水分によってシート状食品が湿気らないようにされている。
【００２６】
そして、切断手段によって外フィルムを二分割し、切り目が形成された側の包装体の両端側の両角部を反対方向に引っ張ると、センターフィルムが切り目から折返し部の方へ引き裂かれ、内フィルムが二分割される。そして、内フィルムが米飯加工食品とシート状食品との間から引き抜かれることにより、湿気っていないシート状食品が米飯加工食品を包むようにして食することができる。
【００２７】
また、前記と異なる本発明に係る米飯加工食品の包装具は、請求項７に記載のように、前記請求項４に記載の米飯加工食品の包装体によって米飯加工食品を包装した米飯加工食品の包装具であって、前記内フィルムが米飯加工食品と接合するように前記米飯加工食品の包装体が二つ折りとされ、重なり合う内フィルムの外周縁部同士がシールされていることを特徴としている。
【００２８】
この米飯加工食品の包装具によれば、包装体が二つ折りとされ、重なり合うサイドフィルムの外周縁部同士がシールされると、センターフィルムの中間部に形成された切り目が二つ折りにされた側に位置する。また、センターフィルムに形成された切り目が何れか一方のサイドフィルムと重なり合い、内フィルムの内側と外側とが連通していない。したがって、この状態において、米飯加工食品とシート状食品とは、全長に亘ってシールされたセンターフィルムと一対のサイドフィルムとからなる内フィルムによって隔絶され、米飯加工食品の水分によってシート状食品が湿気らないようにされている。
【００２９】
そして、切断手段によって外フィルムを二分割し、二つ折りにされた側の包装体の両角部を反対方向に引っ張ると、センターフィルムが切り目から端部の方へ引き裂かれ、内フィルムを二分割することができる。この内フィルムを米飯加工食品とシート状食品との間から引き抜くと、シート状食品が米飯加工食品を包むようにして食することができる。
【００３０】
また、前記と異なる本発明に係る米飯加工食品の包装具は、請求項８に記載のように、前記請求項４に記載の米飯加工食品の包装体によって米飯加工食品を包装した米飯加工食品の包装具であって、前記内フィルムが米飯加工食品を包むように前記米飯加工食品の包装体が米飯加工食品の形状に即して折り曲げられ、サイドフィルムの外周縁部と外フィルムとの重なり合っている部分がシールされていることを特徴としている。
【００３１】
この米飯加工食品の包装具によれば、包装体が米飯加工食品の形状に即して米飯加工食品を包むと、センターフィルムの中心部分に形成された切り目は、米飯加工食品の底面側に位置する。また、センターフィルムに形成された切り目が何れか一方のサイドフィルムと重なり合い、内フィルムの内側と外側とが連通していない。したがって、この状態において、米飯加工食品とシート状食品とは、全長に亘ってシールされたセンターフィルムと一対のサイドフィルムとからなる内フィルムによって隔絶され、米飯加工食品の水分によってシート状食品が湿気らないようにされている。
【００３２】
そして、切断手段によって外フィルムを二分割し、切り目が配置された包装体の底面側の両角部を反対方向に引っ張ると、センターフィルムが切り目から端部の方へ引き裂かれ、内フィルムを二分割することができる。この内フィルムが米飯加工食品とシート状食品との間から引き抜かれると、シート状食品が米飯加工食品を包むようにして食することができる。
【発明の効果】
【００３３】
本発明によれば、内フィルムが一対のサイドフィルムと、該サイドフィルムの各内側端と重なり合うセンターフィルムとからなり、各サイドフィルムとセンターフィルムの重なり合っている部分が全長に亘ってシールされていることにより、内フィルムは、米飯加工食品とシート状食品とを完全に隔絶することができ、米飯加工食品の水分がシート状食品を湿気らせることがないため、シート状食品のパリパリ感を味わうことができる。
【００３４】
また、センターフィルムには、引き裂きの起点となる切り目が形成されていることにより、米飯加工食品を包装した米飯加工食品の包装具の両角部を反対方向に引っ張ると、センターフィルムが切り目から引き裂かれるため、内フィルムは強い力で引っ張らなくても二分割することでき、シート状食品が破れたり、米飯加工食品が割れたりしないようにすることができる。したがって、パリパリの状態のシート状食品が米飯加工食品を包んだ状態で美味に食することができる。
【発明を実施するための最良の形態】
【００３５】
〔発明の実施形態１〕
【００３６】
本発明に係る米飯加工食品の包装体および包装具の第１の実施形態について図１から図７を参照しながら説明する。なお、図５および図７の要部拡大断面図は、見やすくするため、各フィルム１０，２０の間隔と、シールＳの厚さを誇張して描いている。
【００３７】
第１の実施形態の米飯加工食品の包装体（以下、主として「包装体」という。）は、米飯加工食品２を収納することができる大きさの長方形状の外フィルム１０と、シート状食品１を介して、外フィルム１０上に重ね合わされる内フィルム２０とを中心に構成されている。
【００３８】
なお、後記の第２ないし第４の実施形態も同じであるが、米飯加工食品２には、三角形状や樽形状などに握られた各種おにぎりの他、鮨なども含まれるが、ここでは「おにぎり」という。また、シート状食品１には、シート状の海苔の他、薄焼き玉子や畳鰯なども含まれるが、ここでは主として「海苔」という。
【００３９】
そして、内フィルム２０は、海苔１を介して外フィルム１０の両外側部上に重なり合うように配置される一対のサイドフィルム２１，２１と、外フィルム１０の中間部上に重なり合うように配置され、かつ、このサイドフィルム２１，２１の各内側端２１ａ，２１ａと重なり合うセンターフィルム２２とから構成されている。センターフィルム２２は、両端部に引き裂きの起点となる切り目２３，２３が形成されている。そして、センターフィルム２２は、弱い力で引っ張られても、長さ方向に引き裂かれやすいようにするため、一軸延伸性を有していることが好ましい。
【００４０】
一方、一対のサイドフィルム２１，２１の各内側端２１ａ，２１ａ同士は、当接した状態、または重なり合った状態としてもよいが、図１に示すように、離隔していてもよい。ただし、各サイドフィルム２１，２１は、内側端２１ａ，２１ａから外向きに伸張した折返し部２１ｂ，２１ｂが形成されていることが好ましい。おにぎり２を包装した包装具を開封するため、二分割された内フィルム２０を反対方向に引き抜くときに、この折返し部２１ｂ，２１ｂの全面がおにぎり２を保持して引っ張ることがなく、内側端２１ａ，２１ａがおにぎり２から順次、離隔し、おにぎり２には反対向きに大きな力が加えられないことにより、割れないようにすることができる。
【００４１】
このような一対のサイドフィルム２１，２１の内側端２１ａ，２１ａ付近とセンターフィルム２２とが重なっている部分は全長に亘ってシールＳされ、両者２１，２２，２１が一体化した内フィルム２０となる。なお、一対のサイドフィルム２１，２１の内側端２１ａ，２１ａ同士が離隔しているときは、センターフィルム２２に形成された切り目２３は一対のサイドフィルム２１，２１間に位置し、一対のサイドフィルム２１，２１とセンターフィルム２２とがシールＳされる部分に位置することはない。しかし、一対のサイドフィルム２１，２１の内側端２１ａ，２１ａ同士が当接し、または重なり合うときは、切り目２３が一方のサイドフィルム２１の内側端２１ａと重なり合うため、この切り目２３を形成した部分を除いて一対のサイドフィルム２１，２１の内側端とセンターフィルム２２とが全長に亘ってシールＳされる。
【００４２】
そして、外フィルム１０には、その一端１１ａから他端１１ｂを結ぶライン上に切断手段１２が備えられている。切断手段１２は、１本または２本のカットテープで構成され（以下、「カットテープ」という。）、外フィルム１０を確実に引き裂くことができるように、外フィルム１０の内面に貼着されるが、外フィルム１０を引き裂く貼着力をもって外フィルム１０の外面に貼着してもよい。また、２本のカットテープ１２は、平行に貼着されてもよいし、複数の箇所で交差する正弦波状に貼着してもよいし、さらに中間部分でのみ間隔が広くなるようにしてもよい。
【００４３】
このようなカットテープ１２の両端が位置している外フィルム１０の両端１１ａ，１１ｂには、そのカットテープ１２の両端部を摘み片とするための切込み１３，１３が入れられている。このような外フィルム１０と内フィルム２０との間に海苔１を介在させた後、切込み１３，１３の部分を除いた外フィルム１０の外周縁部１４と内フィルム２０の切り目２３の部分を除いた外周縁部２４が、例えば熱によって帯状にシールＳされる。
【００４４】
具体的には、図１および、おにぎり２を包装した状態を示す図２のように、切込み１３および切り目２３を形成した部位は幅狭に、その他の外周縁部１４，２４は全幅に亘って幅広にシールＳするようにするほか、おにぎり２を包装した状態を示す図３のように、切込み１３および切り目２３の長さ分だけシールＳせず、端部側の一辺を全幅に亘って幅狭にシールＳしてもよい。あるいは、おにぎり２を包装した状態を示す図４のように、端部側は切込み１３および切り目２３の両側のみシールＳしてもよい。この場合は、切込み１３および切り目２３の周囲はシールＳされないため、外フィルム１０と内フィルム２０との間に熱のこもった薄焼き玉子を挟んでも、熱を逃がすようにすることができる。
【００４５】
いずれにしても、シート状食品１を挟んだ状態の外フィルム１０と内フィルム２０との外周縁部１４，２４をシールＳした包装体によっておにぎり２を包装するには、おにぎり２の底面を内フィルム２０の中間部に配置し、図２ないし図４に示すように内フィルム２０がおにぎり２と重なり合うように包装体を二つ折りにする。そして、重なり合った内フィルム２０の三方の外周縁部２４，２４同士を例えば熱によって帯状にシールＳすると、包装具となる。包装体を二つ折りとすることにより、柔らかくふんわりと握られたおにぎり２も包装することができる。
【００４６】
包装体を二つ折りにしたときや包装具の搬送中ないし陳列中において、一対のサイドフィルム２１，２１とセンターフィルム２２とは全長にわたってシールＳされていることから、図５に示すように内フィルム２０には隙間が生じることがなく、おにぎり２と海苔１との間で通気しないため、おにぎり２の水分によって外フィルム１０と内フィルム２０とに挟まれた海苔１は湿気らないようにされている。
【００４７】
このように包装されたおにぎり２を食するには、カットテープ１２の一端部を摘んで引っ張り、図６に示すように外フィルム１０を引き裂き、二分割する。カットテープ１２の両端が位置している外フィルム１０には切込み１３，１３が入れられ、摘み片とされていることから、カットテープ１２の一端部は容易に摘むことができる。また、２本のカットテープ１２，１２によって、外フィルム１０が引き裂かれると、残存している外フィルム１０が小さくなる。
【００４８】
そして、包装体の外側端の両角部Ａ，Ａを掴んで反対方向に引っ張ることにより、センターフィルム２２が切り目２３から引き裂かれ、内フィルム２０が二分割される。包装体の両角部Ａ，Ａを反対方向に離隔することにより、外フィルム１０内から海苔１が露出するとともに、内フィルム２０が図７に示すように海苔１とおにぎり２との間から引き抜かれる。
【００４９】
外フィルム１０が２本のカットテープによってワイドに開裂されることにより、外フィルム１０は海苔１を擦らず、海苔１を破かないようにすることができる。また、内フィルム２０は、センターフィルム２２が引き裂かれることによって二分割されているため、大きな力を加えなくても、内フィルム２０を海苔１とおにぎり２との間から引き抜くことができ、海苔１を破ることなく、また、おにぎり２を割ることがないようにすることができる。さらに、内フィルム２０が引き抜かれるときに、サイドフィルム２１，２１の折返し部２１ｂ，２１ｂがおにぎり２を擦らないことによっても、おにぎり２は割れることがない。
【００５０】
このようにして、海苔１がおにぎり２を包む状態となって食することができる。海苔１は、湿気らず、また、破れたりしていないため、パリパリ感を味わうことができる。
〔発明の実施形態２〕
【００５１】
次に、本発明に係る米飯加工食品の包装具の第２の実施形態について、図８を参照しながら説明する。第２の実施形態における米飯加工食品の包装具は、第１の実施形態における米飯加工食品の包装体を使用するが、ガゼット折りによって、おにぎり２の厚さの側面部３０，３０を設けることを特徴としている。
【００５２】
この側面部３０,３０は、内フィルム２０の中間部におにぎり２の底面を配置し、この包装体の中間部をおにぎり２の頂部の方に起立させ、そして、例えばおにぎり２の背面側にある包装体の両側部をおにぎり２の正面側へ折り曲げ、続いて、おにぎり２の正面側にある包装体の両側部をおにぎり２の背面側へ折り曲げ、重なり合った包装体の両側部同士を帯状にシールすることによって設けられる。
【００５３】
この状態においては、包装体の両端部３１，３１の内フィルム２０の両端部同士は離隔し、四角形状に開口している。そこで、包装体の両角部３２，３２を内側に折り込み、外フィルム１０の両端部の角部同士が重なり合い、かつ、内フィルムの両端部同士２５，２５が重なり合うようにして、この両端部を帯状にシールＳすると、おにぎり２を包装した包装具ができあがる。
【００５４】
帯状のシールＳは、図８に示すように、切込み１３および切り目２３を形成した部位は幅狭に、その両側は幅広にしてもよいし、図３に示すように、全幅に亘って幅狭にしてもよいし、あるいは、図４に示すように、切込み１３および切り目２３の両側のみシールＳしてもよい。
【００５５】
いずれにしても、包装されたおにぎり２を食するには、カットテープ１２の一端部を摘んで引っ張ることにより、外フィルム１０を引き裂き、二分割する。そして、包装体の両角部Ａ，Ａを摘んで反対方向に引っ張ることにより、センターフィルム２２が切り目２３から引き裂かれ、内フィルム２０が二分割される。包装具に側面部３０，３０が設けられることにより、外フィルム１０および内フィルム２０をスムーズに二分割することができる。
【００５６】
そして、破られないでパリパリの状態の海苔１が割れていないおにぎり２を包む状態となって美味に食することができる。
〔発明の実施形態３〕
【００５７】
次に、本発明に係る米飯加工食品の包装体および包装具の第３の実施形態について、図９ないし図１６を参照しながら説明する。なお、図１０ないし図１４の要部拡大断面図は、見やすくするため、各フィルム１０，２０の間隔と、シールＳの厚さを誇張して描いている。
【００５８】
第３の実施形態の米飯加工食品の包装体は、第１の実施形態と同様、おにぎり２を収納できる大きさの長方形状の外フィルム１０と、海苔１を介して、外フィルム１０上に重ね合わされる内フィルム２０とを中心に構成され、内フィルム２０が一対のサイドフィルム２１，２１と、このサイドフィルム２１，２１の各内側端２１ａ，２１ａと重なり合うセンターフィルム２２とから構成されている。
【００５９】
しかし、第３の実施形態のセンターフィルム２２は、第１の実施形態と異なり、中心部分に切り目２３が形成されることを特徴としている。この切り目２３の長さは、好ましくはおにぎり２の幅よりもわずかに長く形成される。
【００６０】
また、内フィルム２０は、第１の実施形態と異なり、切り目２３によって内フィルム２０の内側と外側とが連通しないようにするべく、一対のサイドフィルム２１，２１の内側端２１ａ，２１ａ同士が、図９ないし図１２に示すように当接し、または、図１３および図１４に示すように重なり合うようにされている。
【００６１】
そして、図９および図１０に示す内フィルム２０は、センターフィルム２２の中心線上に切り目２３を形成したものであるため、一対のサイドフィルム２１，２１の内側端２１ａ，２１ａ同士は、中心線からずれて当接し、切り目２３が一方のサイドフィルム２１と重なるようにされている。また、図１１および図１２に示す内フィルム２０は、切り目２３がセンターフィルム２２の中心線から外れて形成されているため、一対のサイドフィルム２１，２１の内側端２１ａ，２１ａ同士が中心線上で当接し、切り目２３が一方のサイドフィルム２１と重なるようにされている。
【００６２】
さらに、図１３および図１４に示す内フィルム２０は、一対のサイドフィルム２１，２１の内側端２１ａ，２１ａ同士が重なり合うようにようにしたもので、切り目２３がセンターフィルム２２の中心線上であっても、中心線から外れて形成されていてもサイドフィルム２１，２１と重なるようにされている。いずれにしても、センターフィルム２２とサイドフィルム２１，２１とが重なり合っている部分は、切り目２３を間に配置するように全長に亘って２列にシールＳされることによって内フィルム２０が構成される。
【００６３】
また、サイドフィルム２１，２１の内側端２１ａ，２１ａから伸張した折返し部２１ｂ，２１ｂは、図１２または図１４に示すように、複数の折返し部２１ｂ，２１ｂを設けることにより、二分割された内フィルム２０を反対方向に引くときに、おにぎり２に加えられる力を減少させることができる。
【００６４】
このような内フィルム２０と外フィルム１０との間に海苔１が挟まれ、内フィルム２０と外フィルム１０の外周縁部２４，１４が図２ないし図４のいずれかに示すように帯状にシールＳされると、包装体となる。外フィルム１０は、カットテープ１２によって二分割されるなど、第１の実施形態と同じであるため、説明は省略する。
【００６５】
この包装体によっておにぎり２を包装するには、おにぎり２の底面を内フィルム２０の中間部に配置し、内フィルム２０がおにぎり２と重なり合うように包装体を二つ折りにする。そして、重なり合った内フィルム２０の三方の外周縁部２４，２４同士を例えば熱によって帯状にシールＳすると、包装具となる。
【００６６】
この包装具において、センターフィルム２２に形成された切り目２３は、図１５に示すようにおにぎり２の底面側、すなわち、折り曲げられた側に位置する。切り目２３はサイドフィルム２１，２１と重なり合っており、さらに、一対のサイドフィルム２１，２１とセンターフィルム２２とは全長にわたってシールＳされていることから、包装体を二つ折りにしたときや、包装具を搬送ないし陳列などしている状態において、内フィルム２０には隙間が生じず、おにぎり２と海苔１との間で通気することがなく、おにぎり２の水分によって外フィルム１０と内フィルム２０とに挟まれた海苔１は湿気らないようにされている。
【００６７】
このように包装されたおにぎり２を食するには、第１の実施形態と同様、カットテープ１２の一端部を摘んで引っ張り、外フィルム１０を引き裂き、図１６に示すように二分割する。そして、三方シールＳされた包装体の折り曲げられた側の両角部Ｂ，Ｂを掴んで反対方向に引っ張る。すると、折り曲げられた側に位置している切り目２３からセンターフィルム２２が両端部の方へ引き裂けていく。
【００６８】
切り目２３がおにぎり２の幅よりもわずかに長く形成されていることにより、切り目２３の両端部は包装体の正面および背面に位置し、包装体の両角部Ｂ，Ｂを大きな力で引っ張らなくても、センターフィルム２２は引き裂かれていく。なお、切り目２３がおにぎりの幅よりも短く形成されていても、切り目２３が正面および背面まで裂けることにより、スムーズに引き裂かれる。
【００６９】
そして、第１の実施形態と同様、包装体の両角部Ｂ，Ｂを反対方向に離隔することにより、外フィルム１０内から海苔１が露出するとともに、内フィルム２０が海苔１とおにぎり２との間から引き抜かれる。また、内フィルム２０は、センターフィルム２２が引き裂かれることによって二分割されるため、大きな力を加えなくても、内フィルム２０を海苔１とおにぎり２との間から引きぬくことができる。
【００７０】
このようにして、第３の実施形態における包装体も、海苔１が破れず、また、おにぎり２が割れることなく、開封することができ、パリパリの状態の海苔１がおにぎり２を挟んだ状態で食することができる。
〔発明の実施形態４〕
【００７１】
次に、本発明に係る米飯加工食品の包装具の第４の実施形態について説明する。第４の実施形態のおける米飯加工食品の包装具は、第３の実施形態において説明した米飯加工食品の包装体を使用するが、第３の実施形態と異なり、図１７に示すようにおにぎり２の形状に即して折り曲げ、重なり合っている外フィルム１０とサイドフィルム２１，２１の外周縁部２４，２４とをシールＳすることを特徴としている。
【００７２】
したがって、包装体は、図９に示すような長方形状ではなく、背景技術で説明した図１９に示すような一方の両端部に切欠き部を形成することにより、包装した両角部が重なり合わないようにすることが好ましい。ただし、包装体の一方の両端部は、切欠き部ではなく、鋸歯形状部を形成することにより、引き裂かれやすいようにすることもできる。また、カットテープ１２は、２本ではなく、１本とすることができることもいうまでもない。
【００７３】
このような包装体は、一方の両端部に切欠き部または鋸歯形状部が形成されているときは、他方の両端部の内フィルム２０がおにぎり２の正面側に重ねあわされ、一方の両端部の内フィルム２０がおにぎり２の正面側と重なり合っている包装体の外フィルム１０と重なり合うようにおにぎり２を包み込むことにより、包装具ができあがる。
【００７４】
この包装具は、図１７に示すように外フィルム１０と内フィルム２０の外周縁部２４とが重なり合っている部分に、商品情報などを表示したラベル１００が貼付される。また、この包装具は、カットテープ１２の両端部がおにぎり２の頂部から突出し、包装体の中間両端部Ｃ，Ｃがおにぎり２の底部側の両角部から突出し、センターフィルム２２に形成された切り目２３がおにぎり２の底部側に位置している。このような包装具によって、海苔１が外フィルム１０と内フィルム２０との間に密封され、おにぎり２の水分によって湿気ることがないようにされている。
【００７５】
そして、包装されたおにぎり２を食するには、カットテープの一方の端部を引っ張り、図１８に示すように外フィルム１０を二分割する。そして、包装体の中間両端部Ｃ，Ｃを反対方向に引っ張ることにより、センターフィルム２２を切り目２３から頂部の方へ引き裂き、内フィルム２０を二分割する。さらに、内フィルム２０を海苔１とおにぎり２との間から引き抜くことにより、パリパリの状態の海苔１に包まれたおにぎり２を食することができる。
【００７６】
なお、本発明は、前記４つの実施形態に限定することなく、特許請求の範囲に記載した技術的事項の範囲内において種々変更することができる。例えば、外フィルムと内フィルムは、長方形状に限定するものではなく、六角形などの多角形や楕円形などの円形状とすることもできる。
【図面の簡単な説明】
【００７７】
【図１】本発明に係る米飯加工食品の包装体の第１の実施形態を示す分解斜視図である。
【図２】本発明に係る米飯加工食品の包装具の第１の実施形態を示す斜視図である。
【図３】本発明に係る米飯加工食品の包装具の第１の実施形態の変形例を示す正面図である。
【図４】本発明に係る米飯加工食品の包装具の第１の実施形態の別の変形例を示す正面図である。
【図５】本発明に係る米飯加工食品の包装体の第１の実施形態を示す要部拡大断面図である。
【図６】本発明に係る米飯加工食品の包装具の第１の実施形態であって開封途中を示す正面図である。
【図７】本発明に係る米飯加工食品の包装具の第１の実施形態であって開封途中を示す要部拡大断面図である。
【図８】本発明に係る米飯加工食品の包装具の第２の実施形態を示す斜視図である。
【図９】本発明に係る米飯加工食品の包装体の第３の実施形態を示す分解斜視図である。
【図１０】本発明に係る米飯加工食品の包装体の第３の実施形態を示す要部拡大断面図である。
【図１１】本発明に係る米飯加工食品の包装体の第３の実施形態の変形例を示す要部拡大断面図である。
【図１２】本発明に係る米飯加工食品の包装体の第３の実施形態の別の変形例を示す要部拡大断面図である。
【図１３】本発明に係る米飯加工食品の包装体の第３の実施形態のさらに別の変形例を示す要部拡大断面図である。
【図１４】本発明に係る米飯加工食品の包装体の第３の実施形態のさらに別の変形例を示す要部拡大断面図である。
【図１５】本発明に係る米飯加工食品の包装具の第３の実施形態を示す正面図である。
【図１６】本発明に係る米飯加工食品の包装具の第３の実施形態であって開封途中を示す要部拡大断面図である。
【図１７】本発明に係る米飯加工食品の包装具の第４の実施形態を示す正面図である。
【図１８】本発明に係る米飯加工食品の包装具の第４の実施形態であって開封途中を示す正面図である。
【図１９】従来の米飯加工食品の包装体の分解斜視図である。
【図２０】従来の米飯加工食品の包装具の正面図である。
【符号の説明】
【００７８】
１……シート状食品（海苔）
２……米飯加工食品（おにぎり）
１０……外フィルム
１４……外周縁部
２０……内フィルム
２１……サイドフィルム
２１ａ…内側端
２１ｂ…折返し部
２２……センターフィルム
２３……切り目
２４……外周縁部
Ｓ……シール
【図１】
2005333944.tif 000003
【図２】
2005333944.tif 000004
【図３】
2005333944.tif 000005
【図４】
2005333944.tif 000006
【図５】
2005333944.tif 000007
【図６】
2005333944.tif 000008
【図７】
2005333944.tif 000009
【図８】
2005333944.tif 000010
【図９】
2005333944.tif 000011
【図１０】
2005333944.tif 000012
【図１１】
2005333944.tif 000013
【図１２】
2005333944.tif 000014
【図１３】
2005333944.tif 000015
【図１４】
2005333944.tif 000016
【図１５】
2005333944.tif 000017
【図１６】
2005333944.tif 000018
【図１７】
2005333944.tif 000019
【図１８】
2005333944.tif 000020
【図１９】
2005333944.tif 000021
【図２０】
2005333944.tif 000022